【手続補正書】
【提出日】平成17年4月19日(2005.4.19)
【手続補正１】
【補正対象書類名】明細書
【補正対象項目名】特許請求の範囲
【補正方法】変更
【補正の内容】
【特許請求の範囲】
【請求項１】
第１のトランジスタと、
前記第１のトランジスタの第１のゲートに接続された第１の容量素子と、
前記第１の容量素子と前記第１のゲートとの電気的な接続を制御する第２のトランジスタと、
前記第１のゲートに接続された第２の容量素子と、
前記第２の容量素子と前記第１のゲートとの電気的な接続を制御する第３のトランジスタと、
前記第１の容量素子に保持された電荷量に応じて導通状態が設定される第４のトランジスタと、
前記第２の容量素子に保持された電荷量に応じて導通状態が設定される第５のトランジスタと、
を備えたことを特徴とする電子回路。
【請求項２】
請求項１に記載の電子回路において、
前記第２のトランジスタがオフ状態となる期間の少なくとも一部において、前記第３のトランジスタはオン状態となること、
を特徴とする電子回路。
【請求項３】
請求項１又は２に記載の電子回路において、
入力信号として前記第１のトランジスタのソースとドレインの間を流れる電流信号が供給されること、
を特徴とする電子回路。
【請求項４】
請求項１乃至３のいずれかに記載の電子回路において、
前記第４のトランジスタと前記第５のトランジスタとはともに前記第１のトランジスタとカレントミラー回路を構成すること、
を特徴とする電子回路。
【請求項５】
請求項１乃至４のいずれかに記載の電子回路において、
さらに前記第４のトランジスタの導通状態に応じた電流レベルを有する電流が流れる第６のトランジスタと、
前記第５のトランジスタの導通状態に応じた電流レベルを有する電流が流れる第７のトランジスタと、を含むこと、
を特徴とする電子回路。
【請求項６】
請求項５に記載の電子回路において、
前記第２のトランジスタがオフ状態となっている期間の少なくとも一部において前記第６のトランジスタはオン状態となり、
前記第３のトランジスタがオフ状態となっている期間の少なくとも一部において、前記第７のトランジスタはオン状態となること、
を特徴とする電子回路。
【請求項７】
請求項１乃至６のいずれかに記載の電子回路において、
さらに前記第２のトランジスタと同一の信号によって制御される第８のトランジスタと、
前記第３のトランジスタと同一の信号によって制御される第９のトランジスタと、を含むこと、
を特徴とする電子回路。
【請求項８】
請求項１乃至７のいずれかに記載の電子回路を備えた電子装置。
【請求項９】
複数の走査線と、
複数のデータ線と、
前記複数の走査線と前記複数のデータ線の交差部に対応して設けられ、各々が電気光学素子を含む複数の画素回路と、
前記複数の走査線を駆動する走査線駆動回路と、
前記複数のデータ線を駆動するデータ線駆動回路と、を含み、
前記データ線駆動回路は、前記複数のデータ線の１つのデータ線に対して設けられた電子回路を含み、
前記電子回路は、
第１のトランジスタと、
前記第１のトランジスタの第１のゲートに接続された第１の容量素子と、
前記第１の容量素子と前記第１のゲートとの電気的な接続を制御する第２のトランジスタと、
前記第１のゲートに接続された第２の容量素子と、
前記第２の容量素子と前記第１のゲートとの電気的な接続を制御する第３のトランジスタと、
前記第１の容量素子に保持された電荷量に応じて導通状態が設定される第４のトランジスタと、
前記第２の容量素子に保持された電荷量に応じて導通状態が設定される第５のトランジスタと、を備えていること、
を特徴とする電気光学装置。
【請求項１０】
請求項９に記載の電気光学装置において、
前記電子回路は、前記１つのデータ線と前記第４のトランジスタとの電気的接続を制御する第６のトランジスタと、
前記１つのデータ線と前記第５のトランジスタとの電気的接続を制御する第７のトランジスタと、を備えていること、
を特徴とする電気光学装置。
【請求項１１】
請求項９又は１０に記載の電気光学装置において、
前記データ線駆動回路は前記複数のデータ線に電流信号を出力すること、
を特徴とする電気光学装置。
【請求項１２】
請求項１１に記載の電気光学装置において、
前記複数の画素回路の各々は、前記電流信号によって導通状態が設定される駆動トランジスタと、前記導通状態に応じた電流レベルを有する駆動電流が供給される電気光学素子と、を含むこと、
を特徴とする電気光学装置。
【請求項１３】
請求項１１乃至１３のいずれかに記載の電気光学装置において、
前記電流信号はアナログ電流として供給されること、
を特徴とする電気光学装置。
【請求項１４】
請求項９乃至１３のいずれかに記載の電気光学装置を備えた電子機器。
【手続補正２】
【補正対象書類名】明細書
【補正対象項目名】０００７
【補正方法】変更
【補正の内容】
【０００７】
【課題を解決するための手段】
本発明の第１の電子回路は、第１のトランジスタと、前記第１のトランジスタの第１のゲートに接続された第１の容量素子と、前記第１の容量素子と前記第１のゲートとの電気的な接続を制御する第２のトランジスタと、前記第１のゲートに接続された第２の容量素子と、前記第２の容量素子と前記第１のゲートとの電気的な接続を制御する第３のトランジスタと、前記第１の容量素子に保持された電荷量に応じて導通状態が設定される第４のトランジスタと、前記第２の容量素子に保持された電荷量に応じて導通状態が設定される第５のトランジスタとを備えたことを特徴とする。
上記の電子回路において、前記第２のトランジスタがオフ状態となる期間の少なくとも一部において、前記第３のトランジスタはオン状態となることが好ましい。
上記の電子回路において、入力信号として前記第１のトランジスタのソースとドレインの間を流れる電流信号が供給されることが好ましい。
上記の電子回路において、前記第４のトランジスタと前記第５のトランジスタとはともに前記第１のトランジスタとカレントミラー回路を構成することが好ましい。
上記の電子回路において、さらに前記第４のトランジスタの導通状態に応じた電流レベルを有する電流が流れる第６のトランジスタと、前記第５のトランジスタの導通状態に応じた電流レベルを有する電流が流れる第７のトランジスタとを含んでもよい。
上記の電子回路において、前記第２のトランジスタがオフ状態となっている期間の少なくとも一部において前記第６のトランジスタはオン状態となり、前記第３のトランジスタがオフ状態となっている期間の少なくとも一部において、前記第７のトランジスタはオン状態となっていることが好ましい。
上記の電子回路において、さらに前記第２のトランジスタと同一の信号によって制御される第８のトランジスタと、前記第３のトランジスタと同一の信号によって制御される第９のトランジスタとを含むことが好ましい。
本発明の第１の電気光学装置は、複数の走査線と、複数のデータ線と、前記複数の走査線と前記複数のデータ線の交差部に対応して設けられ、各々が電気光学素子を含む複数の画素回路と、前記複数の走査線を駆動する走査線駆動回路と、前記複数のデータ線を駆動するデータ線駆動回路と、を含み、前記データ線駆動回路は、前記複数のデータ線の１つのデータ線に対して設けられた電子回路を含み、前記電子回路は、第１のトランジスタと、前記第１のトランジスタの第１のゲートに接続された第１の容量素子と、前記第１の容量素子と前記第１のゲートとの電気的な接続を制御する第２のトランジスタと、前記第１のゲートに接続された第２の容量素子と、前記第２の容量素子と前記第１のゲートとの電気的な接続を制御する第３のトランジスタと、前記第１の容量素子に保持された電荷量に応じて導通状態が設定される第４のトランジスタと、前記第２の容量素子に保持された電荷量に応じて導通状態が設定される第５のトランジスタと、を備えていることを特徴とする。
上記の電気光学装置において、前記電子回路は、前記１つのデータ線と前記第４のトランジスタとの電気的接続を制御する第６のトランジスタと、前記１つのデータ線と前記第５のトランジスタとの電気的接続を制御する第７のトランジスタと、を備えていることが好ましい。
上記の電気光学装置において、前記データ線駆動回路は前記複数のデータ線に電流信号を出力することが好ましい。
上記の電気光学装置において、前記複数の画素回路の各々は、前記電流信号によって導通状態が設定される駆動トランジスタと、前記導通状態に応じた電流レベルを有する駆動電流が供給される電気光学素子とを含むことが好ましい。
上記の電気光学装置において、前記電流信号はアナログ電流として供給されるようにしてもよい。
本発明の第１の電子回路は、第１の回路部と第２の回路部とを含み、第１の信号線から供給される入力信号に相対した出力信号を第２の信号線に出力するようにした電子回路であって、前記第１の回路部及び前記第２の回路部は、前記入力信号に応じた電荷量を保持する容量素子と、前記容量素子に保持された電荷量に応じて導通状態が決定される第１トランジスタと、前記容量素子と前記第１の信号線との接続を制御する第２トランジスタと、前記第１トランジスタと前記第２の信号線との接続を制御する第３トランジスタとを備えた。
これによれば、入力信号に相対した出力信号を出力するバッファ回路を構成することができる。
【手続補正３】
【補正対象書類名】明細書
【補正対象項目名】００１７
【補正方法】変更
【補正の内容】
【００１７】
本発明の第３の電子回路は、複数の走査線と複数のデータ線との交差部に対応して画素回路が設けられた電気光学装置を駆動するために、前記複数のデータ線の各々に対して設けられた電子回路であって、前記電子回路は、第１の回路部と、第２の回路部と、を含み、前記第１の回路部及び前記第２の回路部の各々は、入力信号に応じた電荷量を保持する容量素子と、前記容量素子に保持された電荷量に応じて導通状態が設定される第１トランジスタと、前記容量素子と前記入力信号を伝送する入力信号線との接続を制御する第２トランジスタと、前記第１トランジスタと前記複数のデータ線の対応するデータ線との接続を制御する第３トランジスタと、を備えたことを特徴とする。
【手続補正４】
【補正対象書類名】明細書
【補正対象項目名】００２０
【補正方法】変更
【補正の内容】
【００２０】
本発明の第２の電気光学装置は、上記の電子回路を、前記複数のデータ線を駆動する駆動回路として備えている。
本発明の第１の電子機器は、上記の電子回路が実装されてなる。
本発明の第２の電子機器は、上記の電子装置あるいは、上記の電気光学装置が実装されてなる。